(57)【特許請求の範囲】
【請求項１】
側面が、裾が広がった形状をした基部と把持部とからなる金属製のレバーハンドル本体と、
レバーハンドル本体とは別体で製造され、把持部の裏面側に固定され、中央から周辺に向かって薄くなる断面アール状であり、長辺方向に連続する複数条の突条を並設した合成樹脂製の握り部とからなることを特徴とするレバーハンドル。
【発明の詳細な説明】
【技術分野】
【０００１】
本発明は、住宅等のドアにおいて握り易く使用性に優れた形状のレバーハンドルに関するものである。
【背景技術】
【０００２】
従来より、住宅等の開き戸タイプのドアを開閉するためにレバーハンドルが用いられているが、一般的に金属製であるため金属特有の冷たさやベタツキのような不快な手触り感があり、また、金属の平滑さによって手掛部が滑りやすいなど使用性も満足できるものではなかった。
【０００３】
本出願人は、以前に家具の扉や引出しに取り付ける金属製把手の特許を出願している（特許文献１）。この把手の特徴として手掛部の後面に複数条の突条を突設することで、前記の問題点を解決することができる。
【特許文献１】特願２００６−２５８６０２
【発明の開示】
【発明が解決しようとする課題】
【０００４】
しかし、前記の金属製把手は家具の扉や引出しに取り付けることを前提としており、単に手指を引っ掛けて引っ張るだけの単純形状であり、ドアのレバーハンドルのように握り部を握って回転等の操作を行うためには、操作性や耐久性を満足するための複雑な形状が必要となる。
【０００５】
例えば、図１に示すような複雑な形状のレバーハンドルＡを実現するためには、金型の制約上１つの金型を用いて１回の成形作業で作れない場合があった。図５はレバーハンドル本体１の成形方法を示す図であって、（ａ）は基部２を示す側面図であり、ドア取付部５側が太くなっている。これを金型１０で成形する場合は（ｂ）のように、ドア取付面に対して前後方向に脱型する金型１０を作ればレバーハンドルのドア取付部５側は太くなっているので脱型できないが、（ｃ）に示すように上下方向に脱型する金型１０を作れば容易に脱型できる。
【０００６】
一方、図６は握り部４の成形方法を示す図であって、（ａ）はその断面図であり半円形状でその表面には滑り止めとして小間隔を隔てて複数条の突条６が並設されている。（ｂ）のように半円形状の上下方向に脱型する金型１０を作れば握り部の突条（滑り止め）が引っ掛かって脱型できないが、（ｃ）に示すように前後方向に脱型する金型１０を作れば突条（滑り止め）が引っ掛かからずに脱型できる。
【０００７】
このように、レバーハンドル本体１と握り部４の金型１０の脱型方向が異なり一体の金型１０とすることができないので、金属製のレバーハンドル本体１と握り部４を夫々別に成形後溶接等で一体化することになり手間とコストアップが問題となる。
【０００８】
本発明は、かかる問題点に鑑みなされたもので、滑り難く、不快な冷たさやベタツキも無く握り易い握り部を有するレバーハンドルを簡単に提供することを目的とする。
【課題を解決するための手段】
【０００９】
上記目的を達成するために、請求項１に係る発明のレバーハンドルは、側面が、裾が広がった形状をした基部と把持部とからなる金属製のレバーハンドル本体と、レバーハンドル本体とは別体で製造され、把持部の裏面側に固定され、中央から周辺に向かって薄くなる断面アール状であり、長辺方向に連続する複数条の突条を並設した合成樹脂製の握り部とからなることを特徴とする。
【発明の効果】
【００１０】
請求項１に係る発明によれば、レバーハンドルは、基部と把持部とからなる金属製のレバーハンドル本体と、把持部の裏面側に固定され長辺方向に連続する複数条の突条を並設した合成樹脂製の握り部とからなるので、レバーハンドル本体と握り部を夫々別の金型で作成しなければならない制約を利用して、握り部を金属とは別素材の合成樹脂製とすることで、不快な冷たさやベタツキも無く、滑り難く握り易い握り部が得られる。
【００１１】
また、請求項１に記載の発明によれば、請求項１に記載の握り部は中央から周辺に向かって薄くなる断面アール状であり、手指に沿った形状で握り易いので、握った状態でレバーハンドルを回転させるために手を動かし易く開閉作業が楽にできる。
【発明を実施するための最良の形態】
【００１２】
以下、本発明を実施するための実施形態を図面に基づき説明する。尚、本発明は本実施形態の記載内容に限られるものではない。
【００１３】
レバーハンドルＡは図１に示すように、基部２と把持部３とからなる金属製のレバーハンドル本体１と、合成樹脂製の握り部４とからなる。基部は図２に示すように、その側面はドア取付部５に向かって裾が広がった形状をしており、握り易いように把持部３の幅を１０〜３０ｍｍと細くしてもドア取付部５の面積が広くできるので、強度も強く耐久性に優れ安定した形状とすることができる。
【００１４】
握り部４は図３に示すように、把持部３の裏面側７に固定されるもので、中央から周辺に向かって薄くなる断面アール状の樹脂成形品である。握り部４の断面形状は半円状や楕円状等の断面アール状であれば良く、合成樹脂の種類や製造方法についても特に限定せず公知の樹脂や方法が利用できる。
【００１５】
握り部４の表面には滑り止めとして、長手方向に連続的に小間隔を隔てて複数条の突条６、６‥‥６が並設される。握り部４は握った際に指先が握り部に自然に沿うように曲率半径５〜１５ｍｍで形成され、突条６は円周上に１．５〜３ｍｍ間隔で５〜２０本が互いに平行に突設している。間隔が１．５ｍｍより小さくなると汚れ等が溜まり易くなり、３ｍｍよりも広くなると谷部分まで指先が接触し、べとつきや密着感等の不快感が生じる。また、突条６は幅０．５〜１ｍｍ、高さ０．３〜０．５ｍｍの断面半円形状である。突条６が小さくなりすぎると指先が直接谷部に密着する、一方、大きくなりすぎると突条６自体の密着面積が大きくなり密着感等の不快感が生じる。
【００１６】
本実施形態のレバーハンドルＡは図１に示すように、把持部３が基部２から円弧状に突出しており、把持部３への袖の引っ掛かりを防止することができるが、形状は特に限定されることはなく、例えば図４に示すように把持部３が直線的な形状であっても良い。
【００１７】
金属製のレバーハンドル本体１と合成樹脂製の握り部４とは別々に成形された後、握り部４は把持部３の裏面側７に接着剤やビスによって固定される。このようにレバーハンドル本体１と握り部４とを別体で製造するため、両者の組み合わせで多種類のバリエーションのレバーハンドルＡを得ることができると共に、握り部４が劣化した場合でもそれのみを交換することもできるという効果も付随的に得られる。
【００１８】
把持部３と握り部４とを組み合わせて一体化した形状と太さは、細い棒状であるため手指で包み込むことができ確実に握ることができると共に、指先が握り部４の断面アール状表面の全面に接触することなく、その表面に突設した突条にのみ接触するために指先の接触面積が小さくなってべとつきや密着感等の不快感を緩和すると共に、適度な滑り止め効果も得ることができ、快適な使用を可能にするものである。
【産業上の利用可能性】
【００１９】
本発明のレバーハンドルは、べとつきや密着感等の不快感を緩和すると共に、握り易く滑り難い握り部を有するので、極めて有用で産業上の利用可能性が高い。
【図面の簡単な説明】
【００２０】
【図１】本発明のレバーハンドルの実施形態を示す平面図である。
【図２】本発明のレバーハンドルの実施形態を示す側面図である。
【図３】本発明のレバーハンドルの握り部の実施形態を示す断面図である。
【図４】本発明のレバーハンドルの別の実施形態を示す平面図である。
【図５】従来のレバーハンドルの成形方法を示す図である。
【図６】従来の握り部の成形方法を示す図である。
【符号の説明】
【００２１】
Ａ  レバーハンドル
１  レバーハンドル本体
２  基部
３  把持部
４  握り部
５  ドア取付部
６  突条
７  裏面側
１０  金型
【図１】
0004705942.tif 000002
【図２】
0004705942.tif 000003
【図３】
0004705942.tif 000004
【図４】
0004705942.tif 000005
【図５】
0004705942.tif 000006
【図６】
0004705942.tif 000007